(57)【要約】【課題】煩雑なＭＡＣＲＯ登録作業が不要で、操作性が大幅に改善されるだけでなく、良好で迅速なレポートや登録等の特定操作が行えるようにする。【解決手段】商品売上処理、所定の項目に関するレポート処理及び所定の項目に関する登録処理を実行するＰＯＳシステムにおいて、予め定めた特定処理を実行する関数それぞれに固有のファンクション番号を割り当て、前記固有のファンクション番号と前記関数とが対応付けられてファンクションテーブル３に格納されている。特定処理に対応するファンクション番号の指定に応答して、ファンクションテーブル３から対応する関数を読み出し、読み出された関数を実行する。【選択図】      図１
2004246584.tif 000002
【特許請求の範囲】
【請求項１】
商品売上処理、所定の項目に関するレポート処理及び所定の項目に関する登録処理を実行するＰＯＳシステムにおける特定処理実行方式において、
予め定めた特定処理を実行する関数それぞれに固有のファンクション番号を割り当て、前記固有のファンクション番号と前記関数とが対応付けられて格納されているファンクションテーブルを備え、
特定処理に対応するファンクション番号の指定に応答して、前記ファンクションテーブルから対応する関数を読み出し、読み出された関数を実行することを特徴とするＰＯＳシステムにおける特定処理実行方式。
【請求項２】
前記特定処理は、レポート処理または登録処理であることを特徴とする請求項１に記載のＰＯＳシステムにおける特定処理実行方式。
【請求項３】
更にＭＡＣＲＯ機能処理部を備え、前記ＭＡＣＲＯ機能処理が指定された場合には、前記指定されたＭＡＣＲＯ機能処理を実行することを特徴とする請求項１に記載のＰＯＳシステムにおける特定処理実行方式。
【発明の詳細な説明】
【発明の属する技術分野】
【０００１】
本発明は、ＰＯＳシステムにおける特定処理実行方式に関し、例えば、ＰＯＳシステムにおけるレポートや処理登録を簡単操作で行えるようにしたＰＯＳシステムにおける特定処理実行方式に関する。
【０００２】
【従来の技術】
ファーストフード店やコンビニエンスストア等においては、管理上、日々の運用で担当者別売上、商品毎売上等の売上の集計、レポート出力を行うことは必須である。通常、かかるレポート出力は、オペレータや管理者がキー操作を行ってレポート出力操作画面を表示させて所定のレポートを出力させる。
【０００３】
例えば、管理上、一日に最低１回以上は担当者別レポート、商品別レポート等のレポートを出力することが多く、また、在庫登録や現金有り高登録等も行うことが多い。通常、ＰＯＳ端末に鍵スイッチを設けておき、上記の如く特定の操作を行う場合には、鍵スイッチを操作して所定のモード（例えば、管理モード）に合わせてディスプレイの画面にメニュー画面を表示させ、必要な“レポート”操作を選択して、表示されたレポート選択メニューから出力を希望する対象レポート項目を選択することにより、当該レポ−ト内容を出力させる。一方、鍵スイッチが設けられていないときには、その代わりに設けられているレポートモードキーを操作して（通常、タッチパネルでキーをタッチする）、管理モードに合わせてディスプレイの画面にメニュー画面を表示させ、上記と同様に、必要な“レポート”操作を選択して、表示されたレポート選択メニューから出力を希望する対象レポート項目を選択することにより、当該レポ−ト内容を出力させる。
【０００４】
登録処理も、同様であるが、鍵スイッチを操作してマスタ登録モードに設定してディプレイ画面に表示されたマスタ登録項目メニューを表示させ、その中からマスタを選択して必要な処理を実行する。鍵スイッチが設けられていない場合には、その代わりに設けられている登録モードキー（マネージャーモードキー）を操作して（タッチパネルでキータッチ）、マスタ登録項目メニューを表示させ、その中からマスタを選択して必要な処理を実行する。
【０００５】
図５は、従来のレポート出力のための操作を説明するためのディスプレイ画面である。図５（Ａ）において、商品の図と売上情報が表示された商品売上画面が表示されているが、例えば、レポート出力する場合には、上記鍵スイッチを操作して管理１に回し、同図（Ｂ）に示すように、「１．日計レポート」、「２．累計レポート」等のレポート選択画面を表示させる。この状態で、図中のテンキーをタッチして上記２つのいずれか一つを選択して、選択項目のレポートを出力させる。
【０００６】
図６には、図５におけるテンキー操作により「１．日計レポート」を選択した場合の画面表示例が示されている。図６（Ａ）には選択された「１．日計レポート」の更なる詳細な項目（「１．担当者別」、「２．時間帯別」、「３．商品別」、「４．在庫管理」、「５．勤怠」）が表示され、これらのうち希望する項目をテンキーにより選択する。例えば、「３．商品別」のレポートを選択すると、図６（Ｂ）に示すように、商品別レポートが表示される。この内容はプリンタにより印刷される。
【０００７】
以上のように、従来はレポート出力や登録処理を行う場合には、鍵スイッチ等の特定の操作によりレポート項目画面や登録項目画面を表示させ、表示された項目から所望のレポートや登録項目を選択して、対応するレポートや登録画面を表示させている。したがって、レポート出力や登録処理を行う都度、上記の如き操作を行わなければならず、操作性の問題があった。
【０００８】
かかる操作性を改善するために、ＭＡＣＲＯ機能を利用した端末も実用化されている。一連の処理シーケンスをＭＡＣＲＯ機能の登録エリアに登録しておき、そのＭＡＣＲＯキーを実行させることにより、当該登録エリアに登録されている一連のキーシーケンスを自動的に実行させている。ＭＡＣＲＯはキーにアサインされ、そのＭＡＣＲＯがアサインされたキーをタッチすることにより、例えばレポート出力を行えるようにしている。
【０００９】
【発明が解決しようとする課題】
上述のように、従来は、レポート出力や登録処理を行う場合には、鍵スイッチ等の特定の操作により表示されたレポート項目画面から所望の項目を選択して、対応するレポートや登録画面を表示、出力させているが、レポート出力や登録処理を行う都度に煩雑な操作が必要で操作性の問題がある。
【００１０】
一方、登録エリアに登録した一連の処理シーケンスを自動的に実行させる端末もあるが、ＭＡＣＲＯ機能による一連の処理シーケンスの登録は、ＭＡＣＲＯ機能番号に対応する登録エリアの指定、登録エリアへの属性（ＰＬＵ、ＦＵＮＣＴＩＯＮ、ＭＡＣＲＯ）や番号の指定等を個別に手入力で逐次行わなければならず、また、登録される内容を予め把握しておかなければならず操作性の問題が依然残る。
【００１１】
そこで、本発明の目的は、操作性が良好で迅速なレポートや登録等の特定操作を行えるようにしたＰＯＳシステムにおける特定処理実行方式を提供することにある。
【００１２】
【課題を解決するための手段】
前述の課題を解決するため、本発明によるＰＯＳシステムにおける特定処理実行方式は、次のような特徴的な構成を採用している。
【００１３】
（１）商品売上処理、所定の項目に関するレポート処理及び所定の項目に関する登録処理を実行するＰＯＳシステムにおける特定処理実行方式において、
予め定めた特定処理を実行する関数それぞれに固有のファンクション番号を割り当て、前記固有のファンクション番号と前記関数とが対応付けられて格納されているファンクションテーブルを備え、
特定処理に対応するファンクション番号の指定に応答して、前記ファンクションテーブルから対応する関数を読み出し、読み出された関数を実行するＰＯＳシステムにおける特定処理実行方式。
【００１４】
（２）前記特定処理は、レポート処理または登録処理である上記（１）のＰＯＳシステムにおける特定処理実行方式。
【００１５】
（３）更にＭＡＣＲＯ機能処理部を備え、前記ＭＡＣＲＯ機能処理が指定された場合には、前記指定されたＭＡＣＲＯ機能処理を実行する上記（１）のＰＯＳシステムにおける特定処理実行方式。
【００１６】
【発明の実施の形態】
以下、本発明によるＰＯＳシステムにおける特定処理実行方式の好適実施形態例を添付図を参照して詳細に説明する。
【００１７】
本発明では、レポートや登録処理等の特定処理それぞれに固有のファンクション番号を割り当て、ファンクションテーブル内にそれを実行する関数と対応付けて格納しておき、各番号がキーに割り当てられている。したがって、当該ファンクション番号をタッチ（操作）すると、ファンクションテーブルに登録されている情報に基づいて、それぞれ固有の関数がコールされて実行される。
【００１８】
図１は本発明の一実施形態によるＰＯＳシステムにおける特定処理実行方式の処理シーケンスを示すフローチャートである。また、図２には、ファンクションテーブルの一例が示されている。図２に示す例では、ファンクション番号３４、３５、１０４、４００、４５０、５００、５５０及び６５０のそれぞれにファンクションの名称（モード）として商品訂正（売上登録モード）、伝票取消し（売上登録モード）、単品値引き（売上登録モード）、現金有り高登録（マネージャーモード）、勤怠データ編集（マネージャーモード）、商品別レポート（レポートモード）、時間帯別レポート（レポートモード）及び単価変更（マスタ登録モード）が割り当てられている。各名称には関数名が付与され、関数テーブルをもち、それぞれファンクション番号の実行先が登録されている。
【００１９】
図１を参照して本発明の実施形態例の動作処理手順を説明する。タッチパネルのタッチ画面の所定のキーがタッチされると、当該キーの内容を参照してその処理がＰＬＵ（商品）関連処理であるか否かを判定する（ステップＳ１）。ここで、ＰＬＵ関連処理であれば、ＰＬＵ処理を実行し（ステップＳ２）、そうでなければＭＡＣＲＯキーであるか否かを判定する（ステップＳ３）。ステップＳ３において、ＭＡＣＲＯであれば、ＭＡＣＲＯ処理を実行し（ステップＳ４）、ＭＡＣＲＯ処理でなければ、ファンクション機能処理か否かを判定する（ステップＳ５）。ステップＳ５において、ファンクション機能処理でなければ何の処理も指定されていないからエラーである旨を表示し（ステップＳ６）、ファンクション機能処理であればファンクションテーブルを参照して当該ファンクション番号に対応する実行先を検索する（ステップＳ７）。この検索後に検索された（指定された）ファンクション機能処理へジャンプして（ステップＳ８）処理を実行して処理を終了する。
【００２０】
図３には、本発明の実施形態例におけるディスプレイの画面表示例が示されている。図３（Ａ）には通常の商品売上画面例が表示されている。この表示はログインキーの操作により立ち上がって表示される。ここで、レポートキーは所定の操作により画面上に表示されるが、このレポートキー以外に登録キーも所定の操作により表示される。画面上には、予め定めたファンクション番号に対応するキーが表示されるが、複数のキーが表示されていても良いことはもちろんである。
【００２１】
さて、図３において、レポートキーは、同図（Ｂ）に表示されているように定義されており、Ｋｅｙ  Ｘ座標：５００、Ｋｅｙ  Ｙ座標：３００、高さ：５０、幅：５０、リンク先の属性：２、ファンクション番号：５００とされている。本例の場合、タッチされたレポートキーの定義、内容を参照して、リンク先属性“２”からファンクション機能処理が指定され、ファンクション番号“５００”から図２における「商品別レポート」であることが認識され、最終的に「商品別レポート」が表示、出力される。
【００２２】
図４には、本発明の実施形態における処理構成ブロック図が示されている。図４において、ディスプレイの商品売上（ＰＯＳ）画面（図３（Ａ）参照）１において、所定のレポートや登録処理等を実行するためのファンクション番号をタッチして指定すると、ファンクション機能検索部２はファンクションテーブル３を参照して指定されたファンクション番号に対応する関数を読み出し、実行部４において当該関数を直接的に実行して、ディスプレイに表示する。図４に示す実施形態では、従来と同様なＭＡＣＲＯ機能処理を実行する処理部も備え、拡張性や汎用性を改善することもできる。すなわち、ディスプレイの商品売上画面（図３（Ａ）参照）１において、鍵スイッチ等による特定の操作により、レポートメニュー画面５を表示させ、レポート選択画面６を表示させた後、その中から選択された対応するレポートや登録画面を表示、出力させるための処理を実行部４が実行する。
【００２３】
以上、本発明のＰＯＳシステムにおける特定処理実行方式の好適実施形態例を説明したが、これは単なる例示にすぎず、特定用途に応じて種々の変形変更が可能であることは勿論である。
【００２４】
【発明の効果】
上述の如く、本発明のＰＯＳシステムにおける特定処理実行方式では、レポートや登録処理等の特定処理それぞれに固有のファンクション番号を割り当て、ファンクションテーブルとして格納しておき、各番号がキーに割り当てられ、当該ファンクション番号の指定によりファンクションテーブルに登録されている固有の関数がコールされて実行されるので、従来のような煩雑なＭＡＣＲＯ登録作業が不要で、操作性が大幅に改善されるだけでなく、良好で迅速なレポートや登録等の特定操作が行えるようになるという顕著な効果が得られる。
【図面の簡単な説明】
【図１】本発明の一実施形態によるＰＯＳシステムにおける特定処理実行方式の処理シーケンスを示すフローチャートである。
【図２】本発明の実施形態におけるファンクションテーブルの一例を示す図である。
【図３】本発明の実施形態例におけるディスプレイの画面表示例を示す図である。
【図４】本発明の実施形態における処理構成ブロック図である。
【図５】従来のレポート出力のための操作を説明するためのディスプレイ画面である。
【図６】図５において、テンキー操作により「１．日計レポート」を選択した場合の画面表示例を示す図である。
【符号の説明】
１    ＰＯＳ画面
２    ファンクション機能検索部
３    ファンクションテーブル
４    実行部
５    レポートメニュー画面
６    レポート選択画面
【図１】
2004246584.tif 000003
【図２】
2004246584.tif 000004
【図３】
2004246584.tif 000005
【図４】
2004246584.tif 000006
【図５】
2004246584.tif 000007
【図６】
2004246584.tif 000008